(57)【要約】【課題】コンパクトな状態で充電台に収納できるとともに、使用開始時は高いスタンバイ性を両立して使い勝手を高めることが可能な電気掃除機を提供する。【解決手段】吸引力を発生させる電動送風機と、前記電動送風機を収容する掃除機本体１と、前記掃除機本体１に接続される伸縮可能な延長管３００と、を備え、前記掃除機本体１のハンドル部１２には、前記延長管３００の伸縮動作のロックを解除する操作部材２０が設けられている。操作部材２０は、ハンドル部１２を把持した手の指が届く範囲に設けられている。【選択図】図１
2019146876.tif 000002
【特許請求の範囲】
【請求項１】
吸引力を発生させる電動送風機と、
前記電動送風機を収容する掃除機本体と、
前記掃除機本体に接続される伸縮可能な延長管と、を備え、
前記掃除機本体の把持部には、前記延長管の伸縮動作のロックを解除する操作部材が設けられていることを特徴とする電気掃除機。
【請求項２】
前記操作部材は、前記把持部を把持した手の指が届く範囲に設けられていることを特徴とする請求項１に記載の電気掃除機。
【請求項３】
前記操作部材は、後方へ操作可能に支持されており、前記把持部を把持した手の指が引っ掛かりやすいトリガー形状を有していることを特徴とする請求項１または請求項２に記載の電気掃除機。
【請求項４】
前記把持部は、前後方向に直線状に延びて形成される第１把持部と、この第１把持部の後端から略下方に向けて延びる第２把持部と、を有し、
前記操作部材は、前記第１把持部の下面に設けられていることを特徴とする請求項１から請求項３のいずれか１項に記載の電気掃除機。
【発明の詳細な説明】
【技術分野】
【０００１】
本発明は、電気掃除機に関する。
【背景技術】
【０００２】
従来の電気掃除機では、充電台に収納する際に掃除機本体に接続している延長管と吸口体を取り外し、掃除機本体のみを充電台に載置する掃除機が提供されている（例えば、特許文献１参照）。
【０００３】
一方で、従来の電気掃除機では、掃除機本体に延長管と吸口体を接続したままの状態で充電台に載置する電気掃除機が提供されている（例えば、特許文献２参照）。
【先行技術文献】
【特許文献】
【０００４】
【特許文献１】特開２０１６−１３１７９５号公報
【特許文献２】特開２０１６−１３１７７６号公報
【発明の概要】
【発明が解決しようとする課題】
【０００５】
しかしながら、特許文献１の電気掃除機では、電気掃除機をスティック状態で使用した後、充電台に収納する場合、延長管をわざわざ取り外し、掃除機本体と延長管を別々に保管しなければならず、手間を要するという課題があった。
【０００６】
また、特許文献２に記載の電気掃除機では、充電台に収納した状態において、床面から掃除機本体の最上部までの高さが高く、大型化してしまうという課題があった。
【０００７】
また、特許文献１および２に記載の電気掃除機では、電気掃除機をスティック状態で使用する際、把持部から吸口体までの全長が固定されているため、使用者が自分の身長に合わせて長さを調節することができず、使い勝手を損なってしまうという課題があった。
【０００８】
本発明は、前記した従来の課題を解決するものであり、充電台への収納状態はコンパクトにしつつ、使用開始時には高いスタンバイ性を両立して使い勝手を高めることが可能な電気掃除機を提供することを目的とする。
【課題を解決するための手段】
【０００９】
本発明は、吸引力を発生させる電動送風機と、前記電動送風機を収容する掃除機本体と、前記掃除機本体に接続される伸縮可能な延長管と、を備え、前記掃除機本体の把持部には、前記延長管の伸縮動作のロックを解除する操作部材が設けられていることを特徴とする。
【発明の効果】
【００１０】
本発明によれば、コンパクトな状態で充電台に収納できるとともに、使用開始時は高いスタンバイ性を両立して使い勝手を高めることが可能な電気掃除機を提供できる。
【図面の簡単な説明】
【００１１】
【図１】本実施形態の電気掃除機を付属品とともに充電台に収納した状態を示す斜視図である。
【図２】本実施形態の電気掃除機の分解図である。
【図３】図２のＸ方向矢視図である。
【図４】本実施形態の電気掃除機の斜視図である。
【図５】本実施形態の電気掃除機の平面図である。
【図６】図５のＶＩ−ＶＩ線断面図である。
【図７】操作部材が操作された状態を示す断面図である。
【図８】電気掃除機に延長管を接続した状態における、図５のＶＩＩＩ−ＶＩＩＩ線断面図である。
【図９】延長管の伸縮動作のロックが解除された状態を示す断面図である。
【図１０】本実施形態の電気掃除機の側面図である。
【図１１】図１０のＸＩ−ＸＩ線断面図である。
【図１２】図１０のＸＩＩ−ＸＩＩ線断面図である。
【図１３】本実施形態の電気掃除機からバッテリを取り外した状態を背面斜め後方から見た状態を示す斜視図である。
【図１４】本実施形態の電気掃除機を下方から見上げた状態を示す斜視図である。
【図１５】本実施形態の電気掃除機の正面図である。
【図１６】（ａ）は気密保持部材が取り付けられている場合の発光素子による照射状態、（ｂ）は気密保持部材が取り付けられていない場合の発光素子による照射状態である。
【図１７】蓄電池の冷却構造を示す模式図である。
【図１８】（ａ）は掃除機本体と蓄電池との別の連通構造を示す概略断面図、（ｂ）は掃除機本体と蓄電池とのさらに別の連通構造を示す概略断面図である。
【図１９】電気掃除機に付属品が接続された状態の平面図である。
【図２０】電気掃除機の充電台を示す斜視図である。
【図２１】電気掃除機の充電台を示す平面図である。
【図２２】電気掃除機の充電台を示す分解斜視図である。
【図２３】図２２の充電台の充電端子を示す拡大図である。
【図２４】充電台の充電端子と接続される電気掃除機の本体端子部をダストケース側から見上げた状態を示す斜視図である。
【図２５】電気掃除機の充電台を示す側面図である。
【図２６】電気掃除機、各種付属品および充電台を示す側面図である。
【図２７】本体端子部と充電端子との接続状態を示す断面図である。
【図２８】スティック状態の電気掃除機で床面を掃除するときの使用形態図である。
【図２９】スティック状態の電気掃除機で高い場所を掃除するときの使用形態図である。
【図３０】開閉部材を取り付けた標準吸口を示す断面図を示し、（ａ）は前進時、（ｂ）は壁突き当たり時、（ｃ）は後進時である。
【図３１】延長ホースの収納状態を示す側面図である。
【図３２】延長ホースの使用状態を示し、（ａ）は本実施形態のハンドル部を備えた電気掃除機、（ｂ）は比較例のハンドル部を備えた電気掃除機である。
【図３３】電気掃除機の他の使用形態図である。
【発明を実施するための形態】
【００１２】
以下、本発明を実施するための形態（以下「実施形態」という）について、適宜図面を参照しながら詳細に説明する。
図１は、本実施形態の電気掃除機を付属品とともに充電台に収納した状態を示す斜視図である。
図１に示すように、電気掃除機１００は、ハンディ状態、スティック状態など各種の使用形態に変更して掃除を行うことができるものである。電気掃除機１００が収納される充電台７０は、電気掃除機１００に延長管３００（付属品）と標準吸口４００（付属品）を接続したスティック状態で収納するものであり、ベース部７１とスタンド部７２とを備えて構成されている。また、充電台７０は、電気掃除機１００の他に、小型吸口６００（付属品）、ほうき型吸口７００（付属品）、延長ホース８００（付属品）を一緒に収納することができる。なお、標準吸口４００は、モータによってブラシが回転するパワーブラシ式のものである。
【００１３】
図２は、本実施形態の電気掃除機の分解図である。
図２に示すように、電気掃除機１００は、掃除機本体１、ダストケース２（集塵装置）、蓄電池３（蓄電装置）、気密保持部材９０を備えて構成されている。
【００１４】
掃除機本体１は、本体部１０、モータケース部１１、ハンドル部１２を備えて構成されている。
【００１５】
本体部１０は、延長管３００（図１参照）や標準吸口４００（図１参照）などが接続される接続口１０ａ（吸引口）が形成されている。この接続口１０ａは、本体部１０、モータケース部１１、ハンドル部１２などと同様の樹脂で成形されている。また、接続口１０ａは、略円形の開口を有し、前方を向いて形成されている。また、接続口１０ａには、付属品としての、前記した延長管３００、標準吸口４００、小型吸口６００、ほうき型吸口７００など（以下、まとめてアタッチメントという場合もある）を接続することができるようになっている。
【００１６】
また、本体部１０には、ダストケース２が着脱自在に取り付けられるとともに、接続口１０ａから吸い込まれた塵挨を含む空気をダストケース２に送り込む導入管１４（図３参照）を備えている。
【００１７】
モータケース部１１には、電動送風機４０（図６参照）と本体基板５０（図６参照）が内包されている。また、モータケース部１１の前面には、ダストケース２で集塵された後の清浄な空気が吸い込まれる円形の吸込口１１ａが形成されている。また、モータケース部１１の前面には、吸込口１１ａより下部に、充電台７０と接続される本体端子部１７が設けられている。
【００１８】
ハンドル部１２は、本体部１０の後側に設けられ、略Ｌ字状に形成された把持部１２ａを有している。この把持部１２ａは、前後方向に直線状に延びる第１把持部１２ａ１と、略上下方向に直線状に延びる第２把持部１２ａ２と、を有している。また、把持部１２ａは、第２把持部１２ａ２が第１把持部１２ａ１の後端から略下方に向けて延びている。第１把持部１２ａ１は、第２把持部１２ａ２よりも上側かつ前側に位置している。第２把持部１２ａ２は、上下方向に対して上部が前方に向くように若干傾斜している。また、第１把持部１２ａ１と第２把持部１２ａ２は略棒状かつ連続して形成されている。このように、第１把持部１２ａ１についても、第２把持部１２ａ２についてもそれぞれ直線状に構成することで、使用者が持ち手の位置を認識し易くなる。また、第１把持部１２ａ１と第２把持部１２ａ２とが直角に近い角度で折れ曲がるように接続されているので、第１把持部１２ａ１を把持しているときに第２把持部１２ａ２の方に手がずれ難く、逆に第２把持部１２ａ２を把持しているときに第１把持部１２ａ１の方に手がずれ難くなる。
【００１９】
また、ハンドル部１２には、蓄電池３をロックするためのロック部材１３が設けられている。このロック部材１３は、ボタン型に形成されたものであり、揺動自在に支持されている。
【００２０】
また、ハンドル部１２の第１把持部１２ａ１の上面には、操作ボタン１２ｂが設けられている。操作ボタン１２ｂは、例えば、「強」、「標準」、「切」の３つのボタンで構成されている。
【００２１】
また、ハンドル部１２の第１把持部１２ａ１の下面には、操作部材２０が設けられている。操作部材２０は指が掛かりやすいトリガー形状を有しており、後方へ操作可能であり、ハンドル部１２を把持している手の指が届く範囲に配置されている。
【００２２】
本体部１０の前端上部には、延長管３００などの付属品を取り外す際に操作される解除ボタン１８が設けられている。この解除ボタン１８を押下操作することで、本体部１０と付属品とのロックが解除されて、本体部１０から付属品の取り外しが可能となる。
【００２３】
また、本体部１０の前端には、気密保持部材９０が取り付けられている。この気密保持部材９０は、略円形の筒体９１を有している。この筒体９１は、先端側に軟質樹脂で環状に形成された弾性部９１ａを有している。筒体９１は、基端側に前記弾性部９１ａより硬質な材料で形成され、本体部１０に接続可能な接続部９１ｂを有している。筒体９１は、弾性部９１ａと接続部９１ｂの異種の２部材が一体に成形されることで構成されている。なお、弾性部９１ａは、エラストマなど弾性変形可能（撓み変形可能）な材料で構成されている。このような気密保持部材９０を掃除機本体１の接続口１０ａに取り付けることで、床面に気密保持部材９０の先端９０ｓの全体を密着させることができ、密着しない場合に比べて吸引力を向上させることができる。また、接続部９１ｂを硬質のもので形成することで、気密保持部材９０を本体部１０に脱落することなく安定した状態で取り付けることができる。
【００２４】
なお、本実施形態では、弾性部９１ａがエラストマなどの弾性材料で形成されている場合を例に挙げて説明したが、これに限定されるものではない。例えば、筒体９１の略全体を接続部９１ｂと同様の材料で形成し、筒体９１の先端に静電植毛された短毛を環状に備えたものであってもよい。このような静電植毛を備えたものであっても、エラストマと同様に、気密保持部材９０の先端を床面に密着させることが可能になり、吸引力を向上できる。
【００２５】
本体部１０の接続口１０ａの外側面には、縦方向に細長い嵌合溝１０ｂが形成されている。この嵌合溝１０ｂは、左右両側に１条ずつ形成されている。接続部９１ｂの基端には、前記嵌合溝１０ｂと凹凸嵌合して係止される突起部（不図示）が形成されている。
【００２６】
また、本体部１０には、接続口１０ａの上部に、発光素子１０ｃ（図２参照）が設けられている。この発光素子１０ｃは、前方つまり被清掃面（床面など）に向けて発光するように構成されている。また、発光素子１０ｃの先端面１０ｃ１は、接続口１０ａの先端１０ａ１と略同一面上に位置している。
【００２７】
蓄電池３は、電動送風機４０（図６参照）などに電力を供給するものであり、リチウムイオン、ニッケル水素などの二次電池で構成されている。また、蓄電池３は、合成樹脂製の略半円筒状のケース３ａを有し、ケース３ａを前後方向にスライドさせることで本体部１０に対して着脱できる。
【００２８】
ケース３ａの上面には、本体部１０と接続される端子部３ｂが設けられている。また、ケース３ａの上面には、端子部３ｂの前方に、本体部１０にスライド可能に支持されるスライド溝３ｃが形成されている。また、ケース３ａの上面には、端子部３ｂの後方に、本体部１０にスライド可能に支持されるスライドレール３ｄ，３ｄが左右側方に突出して形成されている。
【００２９】
また、ケース３ａの前面には、左右方向（幅方向）の一方（左側）に、蓄電池３を冷却するための冷却用の空気が導入される導入孔３ｅが形成されている。この導入孔３ｅは、上下方向に細長く形成されている。
【００３０】
また、ケース３ａの前面には、左右方向（幅方向）の他方（右側）に、蓄電池３を冷却した後の空気が排出される排出孔３ｆが形成されている。この排出孔３ｆは、前記した導入孔３ｅと左右対称の形状を有するように形成されている。
【００３１】
また、ケース３ａの背面には、ロック部材１３が嵌合して本体部１０にロックされるロック凹部３ｇが形成されている。
【００３２】
図３は、図２のＸ方向矢視図である。
図３に示すように、ダストケース２は、サイクロン方式のものであり、導入管１４から吸込んだ塵埃を含む空気を、塵埃と空気とに分離し、塵埃を集める機能を有する。また、ダストケース２は、モータケース部１１の前方に軸方向を前後方向にして配置され、略円柱形状の収容部２ａを有している。また、ダストケース２の上面（側面）には、導入管１４と繋がる略矩形状の流入口２ｂ（図２参照）が形成されている。この流入口２ｂに流入した塵挨を含む空気は、旋回流となり、塵埃に遠心力が働き、ダストケース２内で塵挨と空気とに分離された後、塵埃が分離された空気がダストケース２の後部（背面）から排出される。
【００３３】
また、ダストケース２の前面には、ダストケース２内に溜まった塵埃を廃棄する際に開閉する蓋２ｃがヒンジ部２ｄを介して回動自在に支持されている。また、蓋２ｃの上部には、蓋２ｃのロックを解除するための蓋ロック機構２ｅが設けられている。なお、ダストケース２の内部の機構については、特開２０１６−１３７１６５号公報に基づいて構成することができる。
【００３４】
モータケース部１１の下部には、排気口１６が設けられている。この排気口１６は、前後方向に沿って複数のスリット１６ａを有し、複数のスリット１６ａが上下方向に並んで形成されている。なお、図示していないが、排気口１６は、左右の両側に設けられている。
【００３５】
図４は、本実施形態の電気掃除機の斜視図である。
図４に示すように、電気掃除機１００は、ダストケース２が本体部１０の下方かつモータケース部１１の前方に取り付けられる。この場合、ダストケース２を掃除機本体１に装着すると、蓋ロック機構２ｅが掃除機本体１側に隠れる。これは、蓋ロック機構２ｅを反対側（外側）に設けた場合、掃除中に蓋ロック機構２ｅが解除される恐れがある。しかし、蓋ロック機構２ｅが掃除機本体１側に隠れるようにすることで、誤動作を防止することができるからである。例えば、スティック状態でソファやベッドの下を掃除するときなど、掃除機本体１を床面に対して水平に近づける場合がある。このとき、蓋ロック機構２ｅを表側に設けた場合、床面と接触して蓋ロック機構２ｅが解除される可能性がある。蓋ロック機構２ｅとヒンジ部２ｄの位置はこの限りでなく、掃除機本体１に対し左右に設けても構わない。
【００３６】
また、ダストケース２には、お手入れブラシ２ｓ（図２、図３参照）が着脱自在に設けられている。このお手入れブラシ２ｓは、ダストケース２が掃除機本体１に装着されたときに外部から見え難い位置に配置されている。このため、運転中に外れ難く、また、お手入れブラシ２ｓを電気掃除機１００とは別の場所に保管しておく必要もない。
【００３７】
また、気密保持部材９０が掃除機本体１に取り付けられている場合には、気密保持部材９０によって発光素子１０ｃが覆われる。換言すると、発光素子１０ｃは、気密保持部材９よりも内側に位置するように気密保持部材９０の内径が設定されている。
【００３８】
図５は、本実施形態の電気掃除機の平面図である。
図５に示すように、気密保持部材９０の接続部９１ｂは、左右両側において、後方に延出する延出部９１ｂ１，９１ｂ１が形成されている。左側の延出部９１ｂ１と右側の延出部９１ｂ１との間は、平面視において凹状部９１ｂ２が形成されている。この凹状部９１ｂ２は、本体部１０の先端上面に形成された突出部１０ｄの前端部１０ｄ１と嵌合する。これにより、接続口１０ａ（図２参照）に対する気密保持部材９０の前後方向および左右方向の位置決めが行われる。
【００３９】
本体部１０に形成された導入管１４は、一旦右斜め後方に延び、そして下方に延びて形成され、ダストケース２の流入口２ｂ（図２参照）と接続されている。これにより、ダストケース２の収容部２ａ内において旋回流を発生させることができ、遠心力による塵埃の分離を効果的に行うことができる。
【００４０】
ダストケース２および蓄電池３のそれぞれの幅は、本体部１０の幅Ｗよりも若干短く形成されている。換言すると、ダストケース２や蓄電池３が本体部１０の側方から突出しないように構成されている。これにより、使用者が左右どちらの手で持って掃除を行ったとしても、電気掃除機１００を前後方向に円滑に動かすことができ、使い勝手を向上できる。
【００４１】
図６は、図５のＶＩ−ＶＩ線断面図である。なお、図６は、電気掃除機１００から気密保持部材９０を取り外した状態である。
図６に示すように、本体部１０のモータケース部１１には、電動送風機４０が収容されている。また、モータケース部１１内には、電動送風機４０の下方に、掃除機本体１を制御する本体基板５０（制御基板）が収容されている。
【００４２】
電動送風機４０は、回転駆動軸４０ａが前後方向を向くように横置きに配置されている。また、電動送風機４０から排出された空気は、電動送風機４０の下方に配置された本体基板５０に流れ、本体基板５０を冷却するようになっている。また、本体基板５０を冷却した一部の空気は、蓄電池３を冷却するようになっている。
【００４３】
本体基板５０は、上下に分割して２段に配置された上部基板５０ａと下部基板５０ｂとを有し、主に対向する面（上部基板５０ａの下面と下部基板５０ｂの上面）に各種部品が実装されている。電動送風機４０から排出された空気のほとんどは、各本体基板５０の対向配置された部品（発熱部品）を冷却するように流れる。また、本体基板５０は、難燃性の樹脂ケース５１で覆われている。電動送風機４０から排出された風（空気）は、樹脂ケース５１内を後側から前側に向けて流れる。そして、樹脂ケース５１の底面の下側を通って、蓄電池３側に流れる。
【００４４】
また、電動送風機４０と本体基板５０は、上下方向に重なるように配置されている。このため、掃除機本体１の前後方向の寸法を短くできる。また、電動送風機４０は、モータケース部１１がハンドル部１２側に膨出して形成されることで、本体部１０の前後方向（全長）の寸法を短くできる。
【００４５】
また、電動送風機４０および本体基板５０は、ハンドル部１２の第１把持部１２ａ１の下方に位置している。これにより、使用者が第１把持部１２ａ１を握って操作する場合、電気掃除機１００の重心が第１把持部１２ａ１の下方近傍になる。このため、電気掃除機１００の先を上向きで使用する場合、電気掃除機１００を安定して保持できる。
【００４６】
また、第１把持部１２ａ１とモータケース部１１の上面１１ｃとの間には、手を挿入するための幅寸法Ｈ１の隙間１２ｃが形成されている。また、第２把持部１２ａ２とモータケース部１１の背面１１ｄとの間には、幅寸法Ｈ１よりも広い幅寸法Ｈ２の隙間１２ｄが形成されている。これにより、このように、第１把持部１２ａ１を把持して掃除する場合には、腕を伸ばした状態で保持できるので、第１把持部１２ａ１を強く握ることなく、電気掃除機１００を前後に動かすことができる。また、第２把持部１２ａ２を把持して掃除する場合には、隙間１２ｄに手（指）を深く挿入して強く握る必要がある。そこで、幅寸法Ｈ２を幅寸法Ｈ１よりも広くすることで、第２把持部１２ａ２を安定して把持することができる。
【００４７】
また、第１把持部１２ａ１の厚みＴ１は薄く形成され、第２把持部１２ａ２の厚みＴ２は厚みＴ１よりも厚く形成されている。つまり、第１把持部１２ａ１は細く、第２把持部１２ａ２は太く形成されている。このように、第２把持部１２ａ２を握って掃除する場合には、第２把持部１２ａ２の厚みＴ２を厚くすることで、深く握り易くなるとともに、第２把持部１２ａ２の強度を高くすることができる。
【００４８】
蓄電池３は、例えば、エネルギ効率の高いリチウムイオン電池で構成することができる。また、蓄電池３は、ハンドル部１２の第２把持部１２ａ２の下方に配置されている。このように、蓄電池３を電気掃除機１００の後端に設けることで、ハンドル部１２の重心が第２把持部１２ａ２に近くなるので、電気掃除機１００の先を上向きで使用する場合、操作感を軽くすることができる。
【００４９】
ロック部材１３は、後端部にボタン型の操作部１３ａが形成されている。この操作部１３ａは、前方に延びる腕部１３ｂを有し、腕部１３ｂの前端が本体部１０に支持されている。また、腕部１３ｂは、ばね１３ｃによって下方に付勢されている。これにより、ロック部材１３がロック凹部３ｇに嵌合してロックされている場合には、操作部１３ａがロック凹部３ｇから抜け出ないようになっている。また、蓄電池３を本体部１０から取り外す場合には、操作部１３ａを押圧することによって、ばね１３の付勢力に反発しながら、操作部１３ａがロック凹部３ｇから抜け出ることができる。
【００５０】
このように、蓄電池３を着脱式にすることによって、蓄電池が着脱不可のものに比べて、蓄電池３の交換がし易くなる。また、予備の蓄電池３と、予備の蓄電池３を充電可能な充電ボックスをオプションで用意する。これにより、電気掃除機１００の本体側の蓄電池が消耗した場合に予備の蓄電池３に交換することで、掃除時間を延長することが可能になる。このように構成することで、例えば、店舗などの広い床面を掃除する場合に有効である。
【００５１】
図６に示すように、本体部１０の接続口１０ａの先端面を通る面をＲ１としたときに、ダストケース２の先端２ｆと面Ｒ１（紙面に対して鉛直方向に延びる面）とが略面一となるように構成されている。なお、ダストケース２の先端２ｆは、面Ｒ１よりも前方に突出しないようになっている。これにより、掃除機本体１に気密保持部材９０を取り付けない状態で掃除する場合でもあっても、接続口１０ａの先端をフローリングなどの硬い床面に接触させながら掃除することができる。
【００５２】
ダストケース２内には、収容部２ａの軸方向の後端にフィルタ５が収容されている。このフィルタ５は、プリーツ状に折って構成されたものであり、フィルタ面積を大きくできるとともに、フィルタ５による圧力損失を低減することができる。
【００５３】
また、フィルタ５は、例えば高密度のＨＥＰＡフィルタ（High Efficiency Particulate Air Filter）で構成されている。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。
【００５４】
操作部材２０は指で後方へ操作可能に支持されており、操作部材２０が操作されると、操作部材２０に連結した連結部材２１ａ（２点鎖線）と回転体２２および回転体２２に連結した連結部材２１ｂが連動し、接続口１０ａの上部に配置された穴から連結部材２１ｂの先端を押し出す構造となっている。回転体２２には図示しないコイルバネが設けられており、常に連結部材２１ａを前方側に、連結部材２１ｂを後方側へ付勢している。
【００５５】
詳述すると、操作部材２０は、第１把持部１２ａ１の下方の隙間１２ｃに突出して設けられている。また、操作部材２０は、ハンドル部１２から左右の側面から外側に突出しない扁平な形状である（図５参照）。また、操作部材２０は、断面視で略Ｌ字状に形成され、前後方向に沿って形成される水平部２０ａと、この水平部２０ａの後部から下方（モータケース部１１側）に突出する操作部２０ｂと、を有している。このような形状にすることにより、操作部２０ｂの前後に空間が形成されるので、操作部２０ｂを挟んで第１把持部１２ａ１を手で握ることができ、操作性が損なわれることがない。
【００５６】
また、操作部材２０が第１把持部１２ａ１の下面に設けられているので、操作部材２０がハンドル部１２から外側に突出することがない。これにより、仮に電気掃除機１００が転倒したり、落下したときでも、操作部材２０が破損するのを防止できる。また、操作部材２０が第１把持部１２ａ１と第２把持部１２ａ２とモータケース部１１とで囲まれる隙間１２ｃ内に配置されることで、操作部材２０が破損するのをさらに効果的に防止できる。
【００５７】
また、操作部材２０は、水平部２０ａから第１把持部１２ａ１内に延びる矩形状の連結板２０ｃが形成されている。この連結板２０ｃには、棒状の連結部材２１ａの一端が連結されている。また、連結部材２１ａの他端は、回転体２２に連結されている。この回転体２２は、略楕円形状を呈し、その中心Ｏ１が本体部１０内に回転自在に支持されている。また、回転体２２は、操作部材２０が操作されていないとき（後方に引かれていないとき）に、中心Ｏ１を通る鉛直線（不図示）に対して下端部が前方に、上端部が後方に位置するように構成されている。
【００５８】
また、連結部材２１ａの他端は、回転体２２の下端側に連結されている。また、回転体２２の上端側には、棒状の連結部材２１ｂの一端が連結されている。また、連結部材２１ｂの一端側は、クランク状に折り曲げて形成されている。これにより、連結部材２１ｂの先端２１ｂ１が、本体部１０の先端面に対して直交する方向を向くように構成されている。連結部材２１ｂの他端（先端２１ｂ１）は、操作部材２０が操作されていないときに、本体部１０内に位置している（退避している）。
【００５９】
図７は、操作部材が操作された状態を示す断面図である。
図７に示すように、操作部材２０が操作されると（後方に引かれると）、連結板２０ｃに連結された連結部材２１ａが後方に引かれる。そして、回転体２２が、中心Ｏ１を支点として、半時計回り方向に回転する。これにより、回転体２２は、中心Ｏ１を通る鉛直線（不図示）に対して、回転体２２の下端部が後方に、回転体２２の上端部が前方に位置する。回転体２２の上端部が前方に向けて回転することで、連結部材２１ｂの先端２１ｂ１が、本体部１０の先端から突出する。なお、回転体２２には、該回転体２２を時計回り方向に付勢するばね（不図示）が設けられている。これにより、操作部材２０から指を離すことにより、前記ばね（不図示）の付勢力によって、連結部材２１ａが前方に戻され、操作部材２０が初期状態に復帰する。
【００６０】
図８は、電気掃除機に延長管を接続した状態における、図５のＶＩＩＩ−ＶＩＩＩ線断面図である。なお、図８では、延長管３００の中間部分を省略して図示している。
図８に示すように、延長管３００は、外パイプ３１０とその上部を覆う外パイプカバー３１１とを有して構成されている。また、延長管３００は、外パイプ３１０に内包される内パイプ３２０とその上部を覆う内パイプカバー３２１とを有して構成されている。
【００６１】
内パイプ３２０の底面側には、一列に等間隔に配置された凹部３２２が設けられている。また、内パイプ３２０の外周には略楕円形状のストッパー３２３とその内周面の下部から上方へ向かって延出し、凹部３２２に嵌合する凸部３２４が設けられている。
【００６２】
さらに、外パイプ３１０と外パイプカバー３１１の間には、ばね（不図示）により後方へ付勢されている伸縮ロック解除ボタン３３０が設けられている。この伸縮ロック解除ボタン３３０を前方へスライド操作することにより、凸部３２４が凹部３２２から抜け出し、外パイプ３１０と内パイプ３２０のロックが解除され、内パイプの伸縮動作が可能となる。
【００６３】
また、伸縮ロック解除ボタン３３０には連結部材２１ｃの一端が接続されている。連結部材２１ｃの他端は、掃除機本体１に延長管３００を接続した状態において、連結部材２１ｂの先端２１ｂ１と対向する位置に設けられた孔から突出した状態で保持されている。
【００６４】
図９は、延長管の伸縮動作のロックが解除された状態を示す断面図である。
図９に示すように、掃除機本体１に延長管３００を接続した状態で操作部材２０が操作されると、連結部材２１ｂの先端２１ｂ１（図７参照）が本体部１０の先端から前方に突出する。これにより、連結部材２１ｂが連結部材２１ｃを前方へ押し、伸縮ロック解除ボタン３３０を動作させ、延長管３００の伸縮動作を可能としている。
【００６５】
例えば、延長管３００の先端に標準吸口４００（図１参照）を接続して、電気掃除機１００をスティック状態で使用している場合において、延長管３００の長さを変更する場合がある。この場合には、標準吸口４００を足で軽く抑えた状態で、操作部材２０を操作することで、延長管３００を伸縮動作させることが可能になる。これにより、延長管３００を伸縮させる場合に、伸縮ロック解除ボタン３３０を操作する必要がないので、延長管３００の伸縮動作の操作性を向上させることができる。
【００６６】
図１０は、本実施形態の電気掃除機の側面図である。
図１０に示すように、電気掃除機１００は、吸い込んだ空気を外部に排出する排気口１６を有している。排気口１６は、本体基板５０（図６参照）の高さ位置に形成されている。また、排気口１６の外面には、複数本のスリット１６ａ（図３参照）を覆うようにルーバ（風路切替部材）１６ｂが取り付けられている。なお、図１０では、紙面手前側の排気口１６がルーバ１６ｂによって閉じられ、反対側の排気口が開放している。
【００６７】
気密保持部材９０は、先端（先端面）９０ｓが上部から下部に向けて後退するように傾斜するように形成されている。この先端９０ｓを通る面Ｒ２に対して、ダストケース２が後方に位置している。これにより、気密保持部材９０の先端９０ｓをフローリングなどの床面に接触させた場合でも、ダストケース２が床面に当たるのを防ぐことができる。
【００６８】
図１１は、図１０のＸＩ−ＸＩ線断面図である。
図１１に示すように、排気口１６のスリット１６ａは、略半円形状の壁面１６ｃに左右に分けて形成されている。壁面１６ｃには、左右に複数本のスリット１６ａが形成されている。ルーバ１６ｂは、壁面１６ｃに沿って摺動可能に設けられている。また、ルーバ１６ｂには、周方向の両端に突条部１６ｂ１，１６ｂ１が形成されている。図１１では、ルーバ１６ｂが左側（図示右側）に位置している状態であり、右側（図示左側）のスリット１６ａが露出している。
【００６９】
本体基板５０は、上部基板５０ａと下部基板５０ｂとが上下に離間して配置され、凹状に形成された難燃製の樹脂ケース５１に収容されている。樹脂ケース５１は、底面部５１ａと、左右の側面部５１ｂ，５１ｃと、を有している。このため、上部基板５０ａおよび下部基板５０ｂが排気口１６のスリット１６ａを通して外部から視認できないようになっている。これにより、電気掃除機１００では、排気口１６の外側から異物が侵入して、本体基板５０に接触するのを防止できる。
【００７０】
また、排気口１６は、モータケース部１１と連通して形成され、電動送風機４０からの排気が本体基板５０を冷却した後、スリット１６ａから排出されるように構成されている。また、排気口１６がモータケース部１１の下部に位置しているので、使用者に排気が当たるのを抑えることが可能になる。また、本実施形態の排気口１６は、排気の左右の向きを自由に変更できるので、使用者が右利きの場合でも左利きの場合でも、排気が直接使用者に当たるのを防止できる。
【００７１】
また、ルーバ１６ｂの表面には、外側に突出する突条部１６ｂ１が形成されている。これにより、ルーバ１６ｂを左右に動かす際に、突条部１６ｂ１に指を引掛け易くなることで、ルーバ１６ｂを左右に移動させる操作が容易になり、排気の向きの変更を迅速かつ容易に行うことができる。
【００７２】
図１２は、図１０のＸＩＩ−ＸＩＩ線断面図である。
図１２に示すように、蓄電池３は、６本の単電池３ｈ（電池セル）がケース３ａ内に、上下にそれぞれ３本づつ左右に並んで配置されている。さらに、蓄電池３は、上段の３本の単電池３ｈ１は、左右中央の単電池３ｈ１がその左右両側の単電池３ｈ１よりも低い位置に配置されている。また、蓄電池３は、単電池３ｈ１を軸方向から見たときに単電池３ｈ１の中心を結ぶ線がＶ字状になるように配置されている。また、下段の３本の単電池３ｈ２も同様に、Ｖ字状に配置されている。このように、単電池３ｈ（３ｈ１，３ｈ２）の軸方向を前後方向に向けることで、単電池３ｈの軸方向の向きを左右方向に向けた場合よりも、蓄電池３の幅を狭くできる。また、蓄電池３は、単電池３ｈ１，３ｈ２を上下２段に配置し、かつ、単電池３ｈ１，３ｈ２をＶ字状に配置することにより、蓄電池３の幅をさらに狭くできる。このように左右の幅を狭くできることで、掃除中に使用者に蓄電池３が接触するのを低減できる。
【００７３】
このように単電池３ｈをＶ字状に配置することによって、ケース３ａの上側に窪み部３ｉが形成される。ケース３ａには、窪み部３ｉ側に突出するように前記したスライド溝３ｃが形成されている。一方、スライド溝３ｃに対向する本体部１０（ハンドル部１２の下方）には、スライド溝３ｃをスライド自在に支持する断面視Ｔ字状のレール部１５が突出して形成されている。このように、デッドスペースにスライド溝３ｃを形成することで、空間を有効に利用することができ、蓄電池３の高さ寸法を低く抑えることができる。
【００７４】
また、ケース３ａ内には、単電池３ｈが合成樹脂製の保持部材３ｊに保持された状態で収容されている。この保持部材３ｊは、上段の単電池３ｈ１と下段の単電池３ｈ２との間に隙間３ｋ１，３ｋ１が形成されるように構成されている。また、保持部材３ｊの上面とケース３ａの上面との間に隙間３ｋ２が形成されるように構成されている。また、保持部材３ｊの左右側面とケース３ａの側面との間に隙間３ｋ３，３ｋ３が形成されるように構成されている。また、保持部材３ｊの下面とケース３ａの底面との間に隙間３ｋ４，３ｋ４が形成されるように構成されている。
【００７５】
このような隙間３ｋ１，３ｋ２，３ｋ３，３ｋ４を形成することで、各単電池３ｈの周囲に空気を流すことができ、各単電池３ｈ（３ｈ１，３ｈ２）を効果的に冷却することができる。
【００７６】
図１３は、本実施形態の電気掃除機からバッテリを取り外した状態を背面斜め後方から見た状態を示す斜視図である。
図１３に示すように、モータケース部１１の背面には、本体基板５０（図１１参照）を冷却した空気が本体部１０（掃除機本体１）から導出される（排出される）導出孔１１ｓが形成されている。この導出孔１１ｓは、蓄電池３の導入孔３ｅ（図２参照）と対向する位置に形成されている。換言すると、蓄電池３を本体部１０に装着したときに、導出孔１１ｓと導入孔３ｅとが連通するように構成されている。また、導出孔１１ｓと導入孔３ｅとの連通方向は、前後方向である。
【００７７】
本体部１０は、ハンドル部１２の下方において、左右両端から垂下する垂下部１０ｅ，１０ｅが形成されている。垂下部１０ｅの内壁面には、内方に向けて突出する突出部１０ｆが前後方向に延びて形成されている。なお、左側の突出部については図示を省略している。これにより、蓄電池３を掃除機本体１の背面側（後方）から前方に向けて、スライドレール３ｄ，３ｄを突出部１０ｆの上面側に摺動させることで、蓄電池３が本体部１０に支持される。そして、蓄電池３のケース３ａの背面部３ｍを垂下部１０ｅの後側の端面に突き当たることで、蓄電池３がロック部材１３によって本体部１０にロックされる。このとき、本体部１０の導出孔１１ｓと、蓄電池３の導入孔３ｅ（図２参照）とが連通状態となり、導出孔１１ｓから導出した空気が、導入孔３ｅ（図２参照）に導入される。
【００７８】
図１４は、本実施形態の電気掃除機を下方から見上げた状態を示す斜視図である。
図１４に示すように、モータケース部１１の下端には、ルーバ１６ｂを保持する保持板１１ｔが形成されている。この保持板１１ｔの左側縁部に左側の突条部１６ｂ１が当接することでルーバ１６ｂの右側方向への動作が規制される。同様にして、保持板１１ｔの右側縁部に右側の突条部１６ｂ１（図１１参照）が当接することでルーバ１６ｂの左側方向への動作が規制される。このように、保持板１１ｔによってルーバ１６ｂを保持することで、ルーバ１６ｂがモータケース部１１から脱落するのを防止できる。また、保持板１１ｔによってルーバ１６ｂを保持することで、可動部材であるルーバ１６ｂが床面などに接触して、ルーバ１６ｂが破損するのを防止できる。
【００７９】
また、モータケース部１１の下面には、排気口１６の前方に、平面１１ｐ１を有する支持部１１ｐが形成されている。一方、蓄電池３の下面には、四角形状の平面３ｐ１を有する支持部３ｐが形成されている。平面１１ｐ１と平面３ｐ１は、同一平面上に位置する。これにより、掃除機本体１をハンディ状態で床面などに置いたときに、支持部３ｐ，１１ｐによって、接続口１０ａの軸方向が床面と平行な水平方向を向いた姿勢で支持される。
【００８０】
図１５は、本実施形態の電気掃除機の正面図である。
図１５に示すように、本体部１０には、接続口１０ａを取り囲むように気密保持部材９０が設けられている。この気密保持部材９０は、接続口１０ａの直径Ｄよりも大径の開口９０ｔを有している。この開口９０ｔは、上下方向の長さが左右方向の長さよりも長く形成され、軸方向から見たときに略楕円形状を呈している。
【００８１】
また、本体部１０（掃除機本体１）には、接続口１０ａの上方に、前記した各種のアタッチメント（図１参照、ほうき型吸口７００は除く）と電気的される接続端子１０ｕ，１０ｕが形成されている。そして、本体部１０（掃除機本体１）には、接続端子１０ｕ，１０ｕのさらに上方に、発光素子１０ｃが形成されている。すなわち、気密保持部材９０は、接続口１０ａだけではなく、接続端子１０ｕ，１０ｕおよび発光素子１０ｃを取り囲む開口９０ｔを有している。
【００８２】
このように、気密保持部材９０を接続口１０ａよりも大径にするとともに、接続口１０ａの外側（掃除機本体１の外面側）に取り付けることで、気密保持部材９０を本体部１０（掃除機本体１）から取り外すことなく、アタッチメントを着脱することができる。これにより、掃除機本体１をスティック状態で掃除しているときに、解除ボタン１８を操作することで、ハンディ状態に切り替えることができる。しかも、この場合、掃除機本体１の接続口１０ａには気密保持部材９０が接続されたままであるので、吸引力を高めた状態で掃除を継続できる。
【００８３】
図１６（ａ）は気密保持部材が取り付けられている場合の発光素子による照射状態、（ｂ）は気密保持部材が取り付けられていない場合の発光素子による照射状態である。
図１６（ｂ）に示す比較例では、発光素子１０ｃから照射された光が、接続口１０ａよりも拡散しながら床面Ｍに照射される。このため光が高範囲に拡散されることによって、床面Ｍに照射される光はぼんやりしたものとなり、暗くなる。これに対して、図１６（ａ）に示す本実施形態では、発光素子１０ｃから照射された光が、気密保持部材９０によって拡散が抑えられて、気密保持部材９０による懐中電灯効果によって、床面Ｍにスポット的に照射される。このように光が絞られているので、床面Ｍに照射される光は、図１６（ｂ）に比べて明るくなる。よって、床面Ｍの塵埃の判別が容易になり、掃除性を向上できる。
【００８４】
図１７は、蓄電池の冷却構造を示す模式図である。
図１７に示すように、蓄電池３が掃除機本体１に装着されると、導出孔１１ｓと導入孔３ｅとが対向した状態で連通する。このとき、導出孔１１ｓと導入孔３ｅとの連通方向が前後方向となっている。この状態で、電動送風機４０（図６参照）が駆動されると、吸引された空気がモータケース部１１を通って、導出孔１１ｓに向けて流れる。そして、導出孔１１ｓから排出された空気は、導入孔３ｅに供給され、隙間３ｋ１，３ｋ３などを通って、単電池３ｈの前方から後方に向けて流れ、単電池３ｈを冷却する。そして、単電池３ｈの後方まで流れた空気は、隙間３ｋ１，３ｋ３を通って、単電池３ｈの後方から前方に向けて流れ、排出孔３ｆに向けて流れる。そして、排出孔３ｆから排出された空気は、モータケース部１１の背面に衝突して、モータケース部１１と蓄電池３のケース３ａとの間の隙間から外部に排出される。なお、排出孔３ｆから排出された空気を、モータケース部１１内に戻して、掃除機本体１側の隙間から外部に排出するようにしてもよい。また、蓄電池３にスリットを設けて、スリットから空気を排出するようにしてもよい。
【００８５】
なお、前記した説明では、蓄電池３の内部に、空気の流れを案内する仕切板を設けない場合を例に挙げて説明したが、蓄電池３内に空気を奥側（後側）に案内する仕切板を設けてもよい。
【００８６】
また、前記した説明では、電動送風機４０（図６参照）による吸引力によって発生した空気の一部が本体基板５０（図６参照）を冷却した後に排気口１６（図３参照）から排出され、残りの一部を蓄電池３の冷却に用いる場合を例に挙げて説明した。なお、本体基板５０を冷却した空気をすべて、蓄電池３の冷却に利用してもよい。これにより、蓄電池３をより効率的に冷却できる。また、電動送風機４０からの空気を本体基板５０と導出孔１１ｓとに分けて、蓄電池３を冷却するようにしてもよい。これにより、本体基板５０を通らない空気で冷却することで、より冷えた空気で蓄電池３を冷却することができ、蓄電池３の冷却効率を高めることができる。
【００８７】
また、電気掃除機１００では、導出孔１１ｓの開口面積よりも導入孔３ｅの開口面積を大きくすることで、導出孔１１ｓから導出された空気を、導入孔３ｅに導入し易くなり、蓄電池３を効率的に冷却できる。
【００８８】
図１８（ａ）は掃除機本体と蓄電池との別の連通構造を示す概略断面図、（ｂ）は掃除機本体と蓄電池とのさらに別の連通構造を示す概略断面図である。
図１８（ａ）に示すように、モータケース部１１に形成される導出孔１１ｓ１を蓄電池３側を凸形状とし、蓄電池３に形成される導入孔３ｅ１を凹形状とし、導出孔１１ｓ１と導入孔３ｅ１とを凹凸嵌合する構造であってもよい。なお、蓄電池３側が凸形状で、モータケース部１１側が凹形状であってもよい。これにより、導出孔１１ｓ１と導入孔３ｅ１との気密を高めることができ、導出孔１１ｓ１から導出された空気を導入孔３ｅ１に効率的に導入できる。
【００８９】
また、図１８（ｂ）に示すように、導出孔１１ｓと導入孔３ｅとの間に、導出孔１１ｓの周囲全体と導入孔３ｅの周囲全体とを取り囲む環状のシール部材１９を設けてもよい。これにより、導出孔１１ｓと導入孔３ｅとの気密を高めることができ、導出孔１１ｓから導出された空気を導入孔３ｅに効率的に導入できる。
【００９０】
図１９は、電気掃除機に付属品が接続された状態の平面図である。なお、図１９では、延長管３００を最短の長さにした状態を示している。
図１９に示すように、電気掃除機１００は、掃除機本体１に気密保持部材９０が接続された状態で、延長管３００を接続できるように構成されている。このように、掃除機本体１に気密保持部材９０を接続したままでも、延長管３００を接続する接続口１０ａの位置は変わらない。よって、掃除機本体１と延長管３００と標準吸口４００とを接続した全長Ｌを短く抑えることができる。これにより、標準吸口４００の位置が手元に近くなるので、取り回しが良好になり、使い勝手を向上できる。
【００９１】
図１９に示す電気掃除機１００では、スティック状態から、標準吸口４００が接続された延長管３００を取り外してハンディ状態にしたとしても、掃除機本体１には気密保持部材９０が取り付けられたままである。よって、吸引力が高められた状態で掃除を行うことができる。
【００９２】
なお、図１９の実施形態では、電気掃除機１００に延長管３００および標準吸口４００を接続した場合を例に挙げて説明したが、この実施形態に限定されるものではない。例えば、接続口１０ａに標準吸口４００を直接接続して、ハンディ状態の電気掃除機１００として使用できる。これにより、気密保持部材９０によって床面との気密性が高められるので、吸引力を高めることができる。
【００９３】
このように、電気掃除機１００では、掃除機本体１に気密保持部材９０を取り付けたままで、様々な付属品（アタッチメント）を着脱することができ、掃除の使用形態を迅速に切り替えて掃除を行うことができる。また、気密保持部材９０は、掃除機本体１に取り付けたままにできるので、気密保持部材９０を取り付けたハンディ状態の電気掃除機１００において、高い吸引力を確保しながら掃除を行うことができる。
【００９４】
図２０は、電気掃除機の充電台を示す斜視図である。なお、図２０に示す充電台７０は、電気掃除機１００およびすべての付属品（アタッチメント）を取り外した状態である。また、充電台７０は、図１とは異なり、図２０に示す方向を基準として説明する。
図２０に示すように、充電台７０は、ベース部７１とスタンド部７２とによって構成されている。
【００９５】
ベース部７１は、標準吸口４００（図１参照）が載置される略矩形状の載置面７１ａを有している。この載置面７１ａは、標準吸口４００（図１参照）の吸口面積よりも十分に広く形成されている。また、ベース部７１は、幅方向（左右方向）の中央に、後方に延びる延出部７１ｂを有している。この延出部７１ｂの左右の側方には、小型吸口６００（付属品、アタッチメント）およびほうき型吸口７００（付属品、アタッチメント）を取り付けて保管しておく側部保管部７１ｃ，７１ｃが設けられている。
【００９６】
スタンド部７２は、延出部７１ｂから、鉛直方向（上下方向）上向きに延在している。また、スタンド部７２の上部には下部よりも前方に厚み（膨らみ）を持った膨出部７２ａが形成されている。
【００９７】
スタンド部７２の上面７２ｂには、電気掃除機１００（図１参照）を充電する際に使用される充電端子７３が設けられている。この充電端子７３は、掃除機本体１（図２参照）と電気的に接続される。また、充電端子７３は、蓄電池３を充電する端子であり、スタンド部７２の上面７２ｂから鉛直方向の上方に向けて突出して形成されている。
【００９８】
また、スタンド部７２の上面７２ｂには、略半円状のガイド部７２ｃが形成されている。このガイド部７２ｃは、掃除機本体１（図２参照）を充電端子７３に案内するとともに、掃除機本体１の倒れ込みを防止する部材であり、上面７２ｂの外周縁部から上方に突出して形成されている。また、ガイド部７２ｃは、モータケース部１１（図２参照）の外周面に沿うように形成されている。
【００９９】
スタンド部７２の右側面には、延長ホース８００（図１参照）を掛止させる掛止部７２ｄが形成されている。
【０１００】
図２１は、電気掃除機の充電台を示す平面図である。なお、図２１は、充電台７０を鉛直上方から見下ろしたときの状態を示している。
図２１に示すように、左右の側部保管部７１ｃは、延出部７１ｂから側方に延出して床面と接する台座部７１ｃ１、７１ｃ１と、この台座部７１ｃ１の上面から上方に向けて突出する円柱形状の突起部７１ｃ２、７１ｃ２と、を有して構成されている。
【０１０１】
ベース部７１は、延出部７１ｂの左右両側において、載置面７１ａの後端縁部から後方に向けて下降するように傾斜する傾斜面部７１ｄ、７１ｄを有している。
【０１０２】
図２２は、電気掃除機の充電台を示す分解斜視図である。
図２２に示すように、充電台７０は、スタンド部７２がベース部７１に対し着脱自在に構成されている。なお、ベース部７１とスタンド部７２は着脱自在でなくてもよいが、収納性・梱包性を高めるため、着脱自在であることが望ましい。
【０１０３】
ベース部７１は、後面には電源コード７６を備え、内部に充電基板７４を有する。また、ベース部７１の内部には、おもり７５，７５が設けられ、充電台７０に電気掃除機１００（図１参照）を装着したときに充電台７０が倒れにくくなっている。
【０１０４】
また、ベース部７１は、延出部７１ｂの後端に、スタンド部７２と連結して接続するための接続部７１ｅが形成されている。この接続部７１ｅには、スタンド部７２と電気的に接続される端子接続部７１ｆが設けられている。
【０１０５】
スタンド部７２の下部には、端子接続部７１ｆと電気的に接続される端子部７２ｆが設けられている。なお、端子部７２ｆと充電端子７３とは、図示しない電線を介して電気的に接続されている。
【０１０６】
このように構成されたスタンド部７２をベース部７１に連結して接続することで、図２０に示すように、ベース部７１とスタンド部７２とが連続した面となり、外観上良好な充電台７０を得ることができる。
【０１０７】
図２３は、図２２の充電台の充電端子を示す拡大図である。
図２３に示すように、充電端子７３は、スタンド部７２の上面７２ｂから上方に突出する略直方体形状の端子台７３ａを有している。この端子台７３ａは、左右方向に細長く形成されている。また、端子台７３ａには、左右両端において、前面および上面が開放するように切り欠かれた凹部７３ｂ，７３ｂが形成されている。各凹部７３ｂ内には、端子７３ｃが設けられている。端子７３ｃは、スタンド部７２内においてねじ固定されている。
【０１０８】
端子台７３ａには、端子７３ｃと端子７３ｃとの間に、前面および上面が開放するように切り欠かれた略直方体形状の凹み部７３ｄ，７３ｄが形成されている。
【０１０９】
端子７３ｃは、細長い金属板を折り曲げることで構成され、凹部７３ｂ内において前後方向に撓み変形するように配置されている。また、端子７３ｃは、前記した端子部７２ｆとリード線（図示せず）を介して電気的に接続されている。
【０１１０】
図２４は、充電台の充電端子と接続される電気掃除機の本体端子部をダストケース側から見上げた状態を示す斜視図である。
図２４に示すように、掃除機本体１の本体端子部１７には、充電台７０の端子台７３ａ（図２３参照）が嵌合する嵌合凹部１７ａが形成されている。嵌合凹部１７ａ内には、充電台７０の端子７３ｃ（図２３参照）と接続される本体端子１７ｂ，１７ｂが配置されている。また、嵌合凹部１７ａ内には、充電台７０の凹み部７３ｄ，７３ｄ（図２３参照）と嵌合する嵌合突起１７ｃ，１７ｃが形成されている。本体端子１７ｂ，１７ｂは、蓄電池３の端子部３ｂと接続される端子（不図示）とリード線（不図示）で接続されている。
【０１１１】
使用者は、掃除機本体１を下向きにし、掃除機本体１を充電端子７３の上方から下降させることによって、充電端子７３（図２３参照）に本体端子部１７が接続される。このとき、充電端子７３が上向きに形成されているので、電気掃除機１００（図１参照）の自重によって、本体端子部１７を充電端子７３に確実に接続することができる。
【０１１２】
図２５は、電気掃除機の充電台を示す側面図である。
図２５に示すように、ベース部７１の背面７１ｅ１と、スタンド部７２の背面７２ａ１は、側面視において略面一に形成されている。また、背面７１ｅ１，７２ａ１は、鉛直方向に延びて形成されている。これにより、充電台７０を部屋の壁近くに設置することが可能になり、デッドスペースが生じるのを抑えることができる。
【０１１３】
また、膨出部７２ａは、前方に向けて突出しているので、電気掃除機１００（図１参照）をスタンド部７２に収納したときに、前側に向けて力が作用して、スタンド部７２よりも前方に張り出したベース部７１によって支えることができる。
【０１１４】
図２６は、電気掃除機、各種付属品および充電台を示す側面図である。なお、図２６では、延長ホース８００（図１参照）を取り外した状態を示している。
図２６に示すように、電気掃除機１００は、掃除機本体１に、延長管３００と標準吸口４００を接続したままの状態で充電台７０に収納される。このとき、蓄電池３は、背面７２ａ１から延びるラインＬ１から突出しないように構成されている。
【０１１５】
このように、本実施形態の電気掃除機１００では、スティック状態で充電台７０に設置できるように構成されている。この場合、延長管３００を最短にした状態で、電気掃除機１００を充電台７０に装着できる。例えば、掃除終了時に、延長管３００が最短でない場合には、操作部材２０を操作することで、容易に延長管３００を縮めて最短にすることができる。このように構成することで、延長管３００を充電台７０に設置可能な状態（最短の長さ）まで迅速に縮めることができ、使い勝手を向上できる。なお、仮に操作部材２０が設けられていない場合には、掃除機本体１を床面に置き、延長管３００に設けられた伸縮ロック解除ボタン３３０を操作しながら延長管３００を縮める必要があり、使い勝手が損なわれる。このように、電気掃除機１００をスティック状態のままで充電台７０に設置できるので、次回掃除をする場合、電気掃除機１００を直ちにスティック状態のままで使用することができる。
【０１１６】
また、ベース部７１の載置面７１ａは、延長管３００よりも前方に延びて形成されている。これにより、延長管３００に標準吸口４００を接続した状態、つまり掃除機本体１に延長管３００と標準吸口４００を接続した状態（スティック状態）で、標準吸口４００を載置面７１ａで支持することができる。よって、電気掃除機１００を充電台７０に安定して支持させることができる。また、載置面７１ａが前方に大きく張り出して形成されているので、床面との接触面積が広くなり、電気掃除機１００を安定して保持することができる。
【０１１７】
小型吸口６００は、接続口１０ａ（図２参照）に接続される接続管部６００ａに、右側の側部保管部７１ｃの突起部７１ｃ２（図２１参照）が差し込まれるようにして保管（収納）される。同様に、ほうき型吸口７００は、接続口１０ａ（図２参照）に接続される接続管部（不図示）に、左側の側部保管部７１ｃの突起部７１ｃ２（図２１参照）が差し込まれるようにして保管（収納）される。
【０１１８】
小型吸口６００は、標準吸口４００を略小型に且つ簡略化したものであり、標準吸口４００で使用する場所と同じ場所を掃除するには精神的に抵抗のある場所（ソファ、寝具など）に適用できる。
【０１１９】
ほうき型吸口７００は、サッシのレール、小物が収納された引き出しの中などを掃除するものであり、ゴミを掃くための刷毛体と、ゴミを吸い込むためのゴム製のチューブと、を有している。チューブは、撓み変形可能で、小さな物品を吸い込まない径の吸込口を有している。また、ほうき型吸口は、複数のチューブを備えて、平面視において直線状に配置されるとともに、チューブの両側に刷毛体を備えて構成されている。
【０１２０】
図２７は、本体端子部と充電端子との接続状態を示す断面図である。
図２７に示すように、充電端子７３に本体端子部１７が嵌合する際に、本体端子１７ｄが端子７３ｃに接触し、さらに本体端子１７ｄの縁部１７ｆが下降することで端子７３ｃが後方に撓み変形する。端子７３ｃは、前方に向けて付勢するばね性を有しているので、掃除機本体１が充電台７０に装着されている間は、本体端子１７ｄと端子７３ｃとは接触した状態を維持し、蓄電池３（図２参照）への充電が継続される。
【０１２１】
また、充電端子７３は、本体端子部１７と凹凸嵌合しているので、例えば、充電中に使用者が掃除機本体１に接触したとしても、本体端子１７ｄと端子７３ｃとの導通状態（接触状態）が解除されることはない。
【０１２２】
このように構成された充電台７０では、充電端子７３がスタンド部７２の上面７２ｂに形成されている。これにより、充電端子７３に本体端子部１７を装着する際、使用者の目線に近い位置にあるので、充電端子７３に本体端子部１７を挿入し易くなり、掃除機本体１を充電台７０にセットし易くなる。
【０１２３】
また、充電台７０では、充電端子７３がスタンド部７２の上面７２ｂに形成されている。つまり、充電端子７３が床面から高い位置に形成されているので、充電端子７３にごみが堆積し難くなり、また床面から埃が上がってきて付着することも低減できる。
【０１２４】
また、充電台７０にセットした電気掃除機１００（図１参照）では、電気掃除機１００の重心に近い位置（電動送風機４０および蓄電池３の位置）に充電端子７３が位置するので、重心付近を充電端子７３が受けることで、充電中において充電台７０に掃除機本体１を安定して保持できる。
【０１２５】
また、充電台７０に電気掃除機１００を適用することにより、ダストケース２を取り外した状態で充電できるので、ダストケース２を洗浄、乾燥させている最中であっても充電することができる。
【０１２６】
また、充電端子７３が上向きで、本体端子部１７が上方から充電端子７３に接続される構成である。これにより、電気掃除機１００の自重を充電端子７３に重点的に作用させることができるので、本体端子部１７と充電端子７３とを確実に接続することができる。
【０１２７】
なお、図示していないが、充電台７０では、電気掃除機１００から延長管３００を取り外した状態でも充電することもできるし、標準吸口４００を接続した状態で充電することもできる。
【０１２８】
なお、充電台７０は、電源コード７６（図２２参照）を接続せず、蓄電池３の充電を行わない場合でも、電気掃除機１００を収納する際のスタンドとして使用することができる。
【０１２９】
また、電気掃除機１００を充電台７０に収納している状態では、蓄電池３が上端に位置、ロック部材１３が蓄電池３の上端に位置しているので、蓄電池３の着脱を容易に行うことができる。
【０１３０】
図２８は、スティック状態の電気掃除機で床面を掃除するときの使用形態図である。
図２８は、電気掃除機１００（気密保持部材９０を装着したまま）に延長管３００および標準吸口４００を接続してスティック状態にし、電気掃除機１００を使用者よりも前方に突き出して床面を掃除する場合である。この場合、使用者は、ハンドル部１２の第２把持部１２ａ２を把持しながら、電気掃除機１００を前後に移動させながら掃除を行うことができる。また、図示していないが、電気掃除機１００を使用者の左右の脇に位置した状態で床面を掃除する場合には、使用者は、ハンドル部１２の第１把持部１２ａ１を把持しながら、電気掃除機１００を前後に移動させることができる。このように、使用者が床面を掃除する場合には、ハンドル部１２の位置を持ち替えて掃除することができる。
【０１３１】
また、図２８に示す状態で床面を掃除中、延長管３００を縮める場合には、標準吸口４００を床面や壁面に押し付けた状態で、操作部材２０を操作し、延長管３００を縮める方向に押し込む。これにより、片手で簡単に延長管３００を短くすることができる。また、図２８に示す状態で床面を掃除中、延長管３００を伸ばす場合には、標準吸口４００を抑えた状態で、操作部材２０を操作し、延長管３００を伸ばす方向に引っ張る。これにより、片手で簡単に延長管３００を伸ばすことができる。このようにして、延長管３００の伸縮ロック解除ボタン３３０まで手を伸ばすことなく、延長管３００を伸縮させることができる。
【０１３２】
図２９は、スティック状態の電気掃除機で高い場所を掃除するときの使用形態図である。
ところで、スティック状態にしたときに重心が先端側にある電気掃除機（特開２０１６−１３７１６５号公報参照）では、電気掃除機を床面より高い場所で掃除する場合、使用者が電気掃除機の先を上向きに持ち上げる必要があるので手首に負担が掛かり易くなる。
【０１３３】
そこで、本実施形態では、図２９に示すように、電気掃除機１００の重量物である電動送風機４０（図６参照）や蓄電池３がハンドル部１２に近い位置（手元に近い位置）にあるので、電気掃除機１００の重心Ｇが、使用者の手元に近くなる。これにより、電気掃除機１００をスティック状態にして、電気掃除機１００を床面より高い場所を掃除する場合であっても掃除し易くなり、使い勝手を向上できる。図２９では、階段を掃除する場合を例に挙げて説明したが、電気掃除機１００を持ち上げてエアコンの室内機のパネルなどを掃除する場合にも有効である。
【０１３４】
また、電気掃除機１００をスティック状態で使用している場合において、階段の角（隅）に残った塵埃を取り除くときに、電気掃除機１００から延長管３００および標準吸口４００を取り外してハンディ状態にする。この場合、電気掃除機１００には気密保持部材９０が装着されたままであるので、吸引力を高めた状態で掃除を行うことができ、塵埃の吸い残しを防止できる。
【０１３５】
また、延長管３００は伸縮可能であるため、使用者は自分の身長に合わせて自由に長さを変更し、最も使いやすい長さに調整することができる。さらに、操作部材２０をハンドル部１２を把持している手の指で操作することで、延長管３００の伸縮ロック解除ボタン３３０を操作する（ロック解除する）ことができるため、延長管３００の長さを調整する際に屈んだり両手で操作する必要がないという利点がある。
【０１３６】
また、電気掃除機１００をスティック状態で使用し終わった後は、操作部材２０を操作し、延長管３００を最短の状態に縮めることで、図６のように電気掃除機１００からわざわざ延長管３００を取り外すことなく、尚且つコンパクトな状態にして、充電台７０に載置可能としている。そのため、再度掃除する際には、電気掃除機１００に延長管３００を取り付けるなどの動作がなく、延長管３００の長さの調整も操作部材２０を操作するだけでよいため、片手だけですぐに掃除を開始することができる。
【０１３７】
次に、電気掃除機１００に接続される各種の応用吸口体について説明する。前記した電気掃除機１００には、付属品として各種の応用吸口体（アタッチメント）を接続を付け替えて掃除を行うことができる。
図３０は、開閉部材を取り付けた標準吸口を示す断面図を示し、（ａ）は前進時、（ｂ）は壁突き当たり時、（ｃ）は後進時である。なお、図３０では、回転ブラシを駆動するモータや回転ブラシを制御する基板の図示を省略している。
【０１３８】
図３０（ａ）に示すように、標準吸口４００は、吸口ケース４０１と、モータ（不図示）で駆動される第１ブラシ４０２と、床面との摩擦によって従動的に回転する第２ブラシ４０３と、を有して構成されている。
【０１３９】
吸口ケース４０１は、下面が開放するとともに、第１ブラシ４０２および第２ブラシ４０３を収容する空間を有している。第２ブラシ４０３は、第１ブラシ４０２の後方に隙間を開けて配置されている。
【０１４０】
また、吸口ケース４０１の前面には、開閉部材４０４が設けられている。開閉部材４０４は、回動軸４０４ａを有している。また、開閉部材４０４は、回動軸４０４ａの軸方向に直交するに延びる突起体４０４ｂと、回動軸４０４ａから突起体４０４ｂとは反対方向に延びる開閉体４０４ｃと、を有している。突起体４０４ｂは、硬質の板状部材で構成されている。開閉体４０４ｃは、前側に刷毛部４０４ｃ１と、後側にゴム製のプレート４０４ｃ２とが前後に重ね合わされて構成されている。
【０１４１】
図３０（ａ）に示すように、標準吸口４００を前進させた場合には、刷毛部４０４ｃ１と床面との摩擦力と、電動送風機４０の吸込力によって、開閉体４０４ｃが反時計回り方向に回動して、吸口ケース４０１の前面下部が開放状態になる。このように開閉体４０４ｃが開放することにより、標準吸口４００の前方に位置する大きなゴミ（塵埃）を吸い込むことが可能になる。
【０１４２】
図３０（ｂ）に示すように、標準吸口４００が壁に突き当たった場合には、まず突起体４０４ｂの先端（上端）が壁に突き当たる。そして、標準吸口４００が壁に向けてさらに押圧されると、このときの押し込み力によって、開閉部材４０４が時計回り方向に回動して開閉体４０４ｃが前向きに動作する。開閉体４０４ｃが前向きに動作することによって、吸口ケース４０１の前面下部の開口４０１ａが閉じられる。このように構成することで、壁際（隅）のゴミを吸い込んで取り除くことができる。また、標準吸口４００を左右方向に動かすことにより、壁際のゴミをさらに確実に取り除くことができる。
【０１４３】
図３０（ｃ）に示すように、標準吸口４００を後進させた場合には、刷毛部４０４ｃ１と床面との摩擦力によって、開閉体４０４ｃが時計回り方向に回動して開閉体４０４ｃが前向きに動作する。これにより、吸口ケース４０１内の静圧が上昇することで、ゴミを確実に吸い込むことができる。
【０１４４】
また、コードレスの電気掃除機１００では、吸込み力が家庭用のコンセントから電力が供給される電気掃除機に比べて弱くなる。このため、標準吸口４００では、前進時に（図３０（ａ）参照）、吸口ケース４０１の前面（開口４０１ａ）が開放するので、操作力を軽くすることができ、大きなゴミを吸うこともできる。また、後進時に（図３０（ｃ）参照）、開閉部材４０４が閉じて、静圧が高まることで例えば絨毯の中の砂ゴミなどをしっかり吸い込むことができる。また、標準吸口４００を、家庭用のコンセントから電力を供給する電気掃除機に接続される吸口よりも小さく構成することで、標準吸口４００からの空気の漏れを少なくでき、また静圧が均等にいきわたり易くなる。
【０１４５】
図３１は、延長ホースの収納状態を示す側面図である。
図３１に示すように、延長ホース８００は、先端に取っ手８０１を備えた吸込口８０２と、基端に掃除機本体１（図２参照）と接続される接続口８０３と、吸込口８０２と接続口８０３とを接続する蛇腹管８０４と、を備えて構成されている。なお、本実施形態における延長ホース８００は、吸込口８０２と接続口８０３とが連結されて、延長ホース８００を環状にした状態で充電台７０に収納することができる。このように収納できることで、充電台７０に延長ホース８００を安定して保持させることができる。
【０１４６】
また、延長ホース８００には、吸込口８０２と接続口８０３とを接続する電線（不図示）が設けられている。接続口８０３には、掃除機本体１と電気的に接続される接続端子が設けられ、吸込口８０２には、延長管３００、標準吸口４００、小型吸口６００と電気的に接続される接続端子が設けられている。
【０１４７】
このような延長ホース８００を掃除機本体１に接続して使用することで、一方の手で掃除機本体１を持ち、もう一方の手で取っ手８０１を持ちながら、小型吸口６００の位置を自由に変えながら掃除が可能になる。これにより、延長ホースのない電気掃除機に比べて、車内のシートや足元などを掃除することが容易になる。
【０１４８】
また、延長ホース８００を充電台７０に収納する場合において、取っ手８０１が上向きに構成されているので、取っ手８０１を充電台７０から容易に取り外すことができる。また、取っ手８０１の先端８０１ａの向きが前方斜め上向きに設定されているので、使用者が充電台７０の正面に立った場合、取っ手８０１が通常の使用状態で握ることができ、延長ホース８００の着脱が容易になる。
【０１４９】
図３２は、延長ホースの使用状態を示し、（ａ）は本実施形態のハンドル部を備えた電気掃除機、（ｂ）は比較例のハンドル部を備えた電気掃除機である。
図３２（ｂ）に示す電気掃除機は、掃除機本体１にハンドル部１２０を備えたものである。ハンドル部１２０は、本実施形態のハンドル部１２に第１把持部１２ａ１を設けない構造である。このようなハンドル部１２０を備えた掃除機本体１に延長ホース８１０を接続した場合、重心の関係で掃除機本体１の先端が下側を向いてしまう。このため、図３２（ｂ）に示すように、延長ホース８１０の長さＬ１０を長くする必要がある。
【０１５０】
これに対して、図３２（ａ）に示す本実施形態の電気掃除機１００は、第２把持部１２ａ２に加えて第１把持部１２ａ１を設けたハンドル部１２を備えている。このため、掃除機本体１に延長ホース８００を接続した場合、使用者は、第１把持部１２ａ１を把持することで、掃除機本体１の先端が前方を向く。このため、図３２（ａ）に示すように、延長ホース８００の長さＬ１を図３２（ｂ）の場合よりも短く構成することが可能になる。これにより、延長ホース８００を充電台７０に収納する場合も、延長ホース８００をコンパクトに収納できる。
【０１５１】
図３３は、電気掃除機の他の使用形態図である。
図３３に示すように、電気掃除機１００では、延長ホース８００を接続した先に延長管３００を接続し、延長管３００の先に標準吸口４００を接続した状態で使用することができる。この場合、使用者は、一方の手で掃除機本体１のハンドル部１２の第１把持部１２ａ１を握り、もう一方の手で延長ホース８００の取っ手８０１を握りながら、標準吸口４００によって床面を掃除することができる。
【０１５２】
なお、本発明は、前記した実施形態に限定されるものではなく、様々な変形例が含まれるものである。例えば、掃除機本体１と気密保持部材９０とを別体としたが、掃除機本体１に気密保持部材９０を着脱不可となるように一体に設けてもよい。
【０１５３】
また、導出孔１１ｓと導入孔３ｅの連通方向と、蓄電池３を取付方向とを同じ方向（前後方向）としたが、別々の方向であってもよい。また、蓄電池３の取付方向を前後方向としたが、蓄電池３の取付方向を上下方向としてもよい。
【符号の説明】
【０１５４】
１      掃除機本体
２      ダストケース
３      蓄電池（蓄電装置）
３ｅ    導入孔
３ｆ    排出孔
３ｈ，３ｈ１，３ｈ２  単電池（電池セル）
１０    本体部
１０ａ  接続口（吸引口）
１０ｃ  発光素子
１１    モータケース部
１１ｓ  導出孔
１２    ハンドル部
１２ａ  把持部
１２ａ１  第１把持部
１２ａ２  第２把持部
２０    操作部材
２１ａ  連結部材
２１ｂ  連結部材
２１ｃ  連結部材
２２    回転体
４０    電動送風機
５０    本体基板（制御基板）
７０    充電台
９０    気密保持部材
９０ｓ  先端
９０ｔ  開口
９１ａ  弾性部
９１ｂ  接続部
１００  電気掃除機
３００  延長管（アタッチメント、付属品）
４００  標準吸口（アタッチメント、付属品）
６００  小型吸口（アタッチメント、付属品）
７００  ほうき型吸口（アタッチメント、付属品）
８００  延長ホース（アタッチメント、付属品）
【図１】
2019146876.tif 000003
【図２】
2019146876.tif 000004
【図３】
2019146876.tif 000005
【図４】
2019146876.tif 000006
【図５】
2019146876.tif 000007
【図６】
2019146876.tif 000008
【図７】
2019146876.tif 000009
【図８】
2019146876.tif 000010
【図９】
2019146876.tif 000011
【図１０】
2019146876.tif 000012
【図１１】
2019146876.tif 000013
【図１２】
2019146876.tif 000014
【図１３】
2019146876.tif 000015
【図１４】
2019146876.tif 000016
【図１５】
2019146876.tif 000017
【図１６】
2019146876.tif 000018
【図１７】
2019146876.tif 000019
【図１８】
2019146876.tif 000020
【図１９】
2019146876.tif 000021
【図２０】
2019146876.tif 000022
【図２１】
2019146876.tif 000023
【図２２】
2019146876.tif 000024
【図２３】
2019146876.tif 000025
【図２４】
2019146876.tif 000026
【図２５】
2019146876.tif 000027
【図２６】
2019146876.tif 000028
【図２７】
2019146876.tif 000029
【図２８】
2019146876.tif 000030
【図２９】
2019146876.tif 000031
【図３０】
2019146876.tif 000032
【図３１】
2019146876.tif 000033
【図３２】
2019146876.tif 000034
【図３３】
2019146876.tif 000035